(57)【特許請求の範囲】
【請求項１】
エレベータ用器材と、前記エレベータ用器材を固定するブラケットと、位置調整用アンカーと、固定用アンカーとを備え、
前記ブラケットは、前記エレベータ用器材を受ける受け部と、躯体に固定する固定部とを有し、前記固定部には、位置調整孔と、固定孔とが形成されており、
前記位置調整用アンカーは、前記位置調整孔に軸を挿通して、前記ブラケットの位置を調整した後に、締結具でブラケットを固定しており、
前記固定用アンカーは、前記固定孔に軸を挿通して、前記軸で荷重を受けた状態で、締結具でブラケットを躯体に固定してあり、
前記位置調整孔は、鉛直方向に沿った縦長孔であり、前記固定孔は、丸孔である、エレベータ用器材の固定構造。
【請求項２】
前記固定用アンカーは、前記固定孔の上縁に当接して、エレベータ用器材の荷重を受けている、請求項１に記載のエレベータ用器材の固定構造。
【発明の詳細な説明】
【技術分野】
【０００１】
本発明の実施形態は、エレベータ用器材の固定構造に関する。
【背景技術】
【０００２】
従来、エレベータ用器材、例えば乗り場の床面に設けるシルの固定では、高さの位置調整をブラケットの縦長孔で行い、その縦長孔に挿通したアンカーにナットを螺合して、座金とブラケットを溶接で固定していた。このように溶接で固定することで、シルや乗客による鉛直方向の荷重により、ブラケットの位置がずれてしまうことを防止していた。
【先行技術文献】
【特許文献】
【０００３】
【特許文献１】特開２０１３−１５５０１６号公報
【発明の概要】
【発明が解決しようとする課題】
【０００４】
しかし、溶接固定では、溶接用の機材が必要なこと、溶接により粉塵が舞うため現場環境への影響があること、及び施工者の溶接の習熟度によって仕上がりに差があることから溶接しないで固定することが望まれている。
【０００５】
本実施形態の目的は、ブラケットの位置調整機能を損なわず、かつ溶接しないで固定し、容易にブラケットの位置ずれ防止を可能にするエレベータ用器材の固定構造の提供を目的とする。
【課題を解決するための手段】
【０００６】
本実施形態は、エレベータ用器材と、前記エレベータ用器材を固定するブラケットと、位置調整用アンカーと、固定用アンカーとを備え、前記ブラケットは、前記エレベータ用器材を受ける受け部と、躯体に固定する固定部とを有し、前記固定部には、位置調整孔と、固定孔とが形成されており、前記位置調整用アンカーは、前記位置調整孔に軸を挿通して、前記ブラケットの位置を調整した後に、締結具でブラケットを固定しており、前記固定用アンカーは、前記固定孔に軸を挿通して、前記軸で荷重を受けた状態で、締結具でブラケットを躯体に固定してあり、前記位置調整孔は、鉛直方向に沿った縦長孔であり、前記固定孔は、丸孔である、エレベータ用器材の固定構造である。
【図面の簡単な説明】
【０００７】
【図１】第１実施形態にかかるエレベータ用器材の固定構造を用いたエレベータの乗り場に、乗りかごがあるときの概略構成を示す図である。
【図２】第１実施形態にかかるエレベータ用器材の固定構造をエレベータ昇降路内から見た正面図である。
【図３】第１実施形態にかかるブラケットを示す図である。（ａ）はブラケットの斜視図であり、（ｂ）はブラケットの正面図である。
【図４】第１実施形態にかかるブラケットの取り付けの手順を示す図である。
【図５】第２実施形態にかかるブラケットを示す正面図である。
【図６】ブラケットの各変形例を示す正面図である。
【発明を実施するための形態】
【０００８】
（第１実施形態）
以下、実施形態に係るエレベータ用器材の固定構造１１について説明をする。まず、図１〜図４を参照して、第１実施形態について説明する。  
図１及び図２に示すように、エレベータ用器材の固定構造１１は、エレベータ１の乗り場ドア５の下方に設けられている。本実施形態では、エレベータ用器材１２はシルである。エレベータ用器材の固定構造１１は、エレベータ用器材１２と、ブラケット１３と、位置調整用アンカー１４と、固定用アンカー１５とを備えている。
【０００９】
図１に示すように、エレベータ用器材１２は、乗り場ドア５の下方に位置し、乗り場３の開口の下面に設けられている。エレベータ用器材１２は、ブラケット１３により、乗り場３下の躯体６の壁に固定されている。躯体６は、本実施形態では、エレベータ昇降路の壁である。
【００１０】
図３に示すように、ブラケット１３は、受け部３１と固定部３２と補助部３３とを有し、受け部３１と固定部３２とで略Ｌ字形をなしている。また、補助部３３は、受け部３１と固定部３２とに対して垂直に設けてある。  
受け部３１は、エレベータ用器材１２が取り付けられ、その荷重を受けるものである。受け部３１には、エレベータ用器材の締結具１８ａを挿入する溝２３が形成されている。エレベータ用器材の締結具１８ａは、ボルトである。  
固定部３２は、位置調整孔２１と固定孔２２とが形成されている。位置調整孔２１は、エレベータ用器材１２の荷重方向に沿う縦長孔であり、１つ形成されている。位置調整孔２１の下側（エレベータ用器材１２から離れた側）には、固定孔２２が形成されている。固定孔２２は、丸孔であり、位置調整孔２１の鉛直下側に、鉛直方向に沿って略等間隔になるように４つ形成されている。
【００１１】
図１の一点短鎖線で示す拡大図に示すように、エレベータ用器材１２は、エレベータ用器材の締結具１８ａでブラケット１３の受け部３１に固定されている。エレベータ用器材の締結具１８ａは、受け部３１に挿通して、座金１８ｂを介して、ナット１８ｃで固定されている。
【００１２】
図１中の一点短鎖線で示す拡大図及び図２に示すように、位置調整用アンカー１４は、その軸をブラケット１３の位置調整孔２１に挿通され、更に躯体６に設けられた下穴に打ち込まれている。位置調整用アンカー１４は、位置調整用アンカーの締結具１７ａで座金１６を介して、ブラケット１３に固定されている。  
固定用アンカー１５は、位置調整用アンカー１４と同様に、その軸をブラケット１３の固定孔２２に挿通され、躯体６に設けられた下穴に打ち込まれている。固定用アンカー１５は、固定用アンカーの締結具１７ｂで座金１６を介して、ブラケット１３を躯体６に固定されている。  
位置調整用アンカー１４及び固定用アンカー１５は、アンカーボルト、打ち込みアンカーボルト、又は締め付けアンカーボルトである。位置調整用アンカーの締結具１７ａ及び固定用アンカーの締結具１７ｂは、ナットである。
【００１３】
次に、上述した実施形態に係るエレベータ用器材の固定構造１１の取り付け手順について説明をする。  
まず、ブラケット１３を躯体６に固定する位置を決める。位置調整孔２１に挿通する位置調整用アンカー１４を打ち込む下穴の位置を予め決め、例えばドリルを用いて下穴を開ける。
【００１４】
次に、上述した下穴に位置調整用アンカー１４を打ち込む。打ち込んだ位置調整用アンカー１４の軸に、ブラケット１３の位置調整孔２１を挿通させ、図４の（ａ）の上下矢印で示すように、位置調整孔２１に沿ってブラケット１３を上下に移動して、ブラケット１３の上下方向の位置を調整する。ブラケット１３の位置調整後、位置調整用アンカー１４を座金１６を介して、位置調整用アンカーの締結具１７ａで締結して、ブラケット１３を躯体に取り付ける。
【００１５】
その後、取り付けたブラケット１３の固定孔２２をガイドとして、固定用アンカー１５を打ち込む下穴を躯体６に開ける。固定用アンカー１５の軸を固定孔２２に挿通し、上述した下穴に打ち込む。固定用アンカー１５を座金１６を介して固定用アンカーの締結具１７ｂで締結し、ブラケット１３を躯体６に固定する。
【００１６】
続いて、複数のブラケット１３について、上述した手順と同様に、下穴を開け、位置調整用アンカー１４を打ち込み、ブラケット１３の位置調整を行い、固定用アンカー１５を打ち込んで各ブラケット１３の固定を行う。各ブラケット１３の固定は、水平方向に略等間隔に並べて固定する。
【００１７】
そして、エレベータ用器材１２と、各ブラケット１３の受け部３１とをエレベータ用器材の締結具１８ａで固定する。エレベータ用器材の締結具１８ａは、受け部３１に挿通して、座金１８ｂを介して、ナット１８ｃで固定する。  
エレベータ用器材１２の固定を上述したように順次行い、エレベータ用器材１２に全てのブラケット１３を固定する。
【００１８】
次に、実施形態に係るエレベータ用器材の固定構造１１の作用効果について説明する。  
図２に示すように、位置調整孔２１に位置調整用アンカー１４を挿通して位置調整をした後に、位置調整孔２１とは別に設けた固定孔２２に、固定用アンカー１５を挿通して、固定用アンカー１５の軸で荷重を受けた状態なので、ブラケット１３の位置調整機能を損なわず、位置ずれを防止できる。しかも、固定用アンカー１５の軸が、ブラケット１３にかかる荷重を受けているので、溶接しなくてもブラケット１３と固定用アンカー１５とを固定することができる。
【００１９】
図４の（ａ）に示すように、位置調整孔２１はエレベータ用器材１２の荷重方向に沿う孔なので、ブラケット１３を支持する方向の調整ができる。  
図４の（ｂ）の一点短鎖線で示す拡大図に示すように、固定用アンカー１５は、固定孔の上縁２５に当接して、エレベータ用器材１２の荷重を受けているので、固定孔２２の大きさの影響を受けないで済む。  
図３に示すように、固定孔２２は丸孔なので、長孔と比較して、容易に形成することができる。  
図３に示すように、ブラケット１３の固定部３２には、固定孔２２が複数形成されているので、その躯体６の位置に障害物があった場合に、障害物を避けて固定用アンカー１５を打ち込むことができる。  
図３に示すように、ブラケット１３には補助部３３を形成しているので、受け部３１を固定部３２と補助部３３との両方で支持しているから、ブラケット１３の強度を高めることができる。
【００２０】
（第２実施形態）
以下に他の実施形態を説明するが、以下に説明する実施形態において、上述した第１実施形態と同一の作用効果を奏する部分には、同一の符号を付することによりその部分の詳細な説明を省略し、以下の説明では第１実施形態と主に異なる点を説明する。  
図５に、第２実施形態にかかるブラケット１３を示す。  
このブラケット１３は、固定孔２２が、位置調整孔２１の長手方向と直行する方向に沿った横長孔２４であることが、第１実施形態と異なっている。
【００２１】
第２実施形態によれば、固定孔２２は、横長孔２４なので、固定用アンカー１５を打ち込む下穴を開けるときに、躯体６に障害物があったとしても、横長孔２４に沿った横方向の任意の位置で、固定用アンカー１５を打ち込むことができる。
【００２２】
上述した実施形態は、例として掲示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。実施形態やその変形は、発明の範囲や要旨に含まれるとともに、特許請求の範囲に記載された発明とその均等の範囲に含まれる。  
例えば、図６の（ａ）に示す変形例では、ブラケット１３の固定部３２に、４つの丸孔の固定孔２２が上側（エレベータ用器材１２側）、１つの位置調整孔２１が下側（エレベータ用器材１２から離れた側）に設けられている。図６の（ｂ）に示す変形例では、ブラケット１３の固定部３２に、２つの丸孔の固定孔２２が上側、１つの位置調整孔２１が下側に設けられている。図６の（ｃ）に示す変形例では、ブラケット１３の固定部３２に、３つの横長孔２４の固定孔２２が上側、１つの位置調整孔２１が下側に設けられている。このように、位置調整孔２１と固定孔２２の位置はどちらが上側（エレベータ用器材１２側）であってもよい。また、固定孔２２の個数は、いくつでもよく、固定孔２２の数は限定されない。  
エレベータ用器材１２は、エレベータのガイドレール又はエレベータ乗り場の三方枠であってもよい。
【符号の説明】
【００２３】
６…躯体、１１…エレベータ用器材の固定構造、１２…エレベータ用器材、１３…ブラケット、１４…位置調整用アンカー、１５…固定用アンカー、２１…位置調整孔、２２…固定孔、２４…横長孔、２５…固定孔の上縁、３１…受け部、３２…固定部。
【要約】
【課題】ブラケットの位置調整機能を損なわず、かつ溶接しないで固定し、容易にブラケットの位置ずれ防止を可能にするエレベータ用器材の固定構造の提供することにある。
【解決手段】エレベータ用器材の固定構造は、エレベータ用器材と、エレベータ用器材を固定するブラケットと、位置調整用アンカーと、固定用アンカーとを備え、ブラケットは、エレベータ用器材を受ける受け部と、躯体に固定する固定部とを有し、固定部には、位置調整孔と、固定孔とが形成されており、位置調整用アンカーは、位置調整孔に軸を挿通して、ブラケットの位置を調整した後に、締結具でブラケットを固定しており、固定用アンカーは、固定孔に軸を挿通して、軸で荷重を受けた状態で、締結具でブラケットを躯体に固定してある。
【選択図】図２【図１】
0006843950.tif 000002
【図２】
0006843950.tif 000003
【図３】
0006843950.tif 000004
【図４】
0006843950.tif 000005
【図５】
0006843950.tif 000006
【図６】
0006843950.tif 000007